(57)【要約】【課題】原稿載置面の適正な位置に高い精度で原稿を載置することのできる位置決め部材を備えた画像読取装置の実現する。【解決手段】原稿載置面３７に対して原稿Ｇを位置決め可能な位置決め部材３０には、原稿Ｇが当接される当接面３１と、この当接面３１に当接される原稿Ｇが配置されるべき位置を示す目印４０とが備えられ、この目印４０の少なくとも一部は当接面３１に設けられている。これにより、原稿Ｇと目印４０とを近接して位置合わせでき、位置ズレを抑制できる。【選択図】図４
2008122732.tif 000002
【特許請求の範囲】
【請求項１】
原稿を載置可能な原稿載置面と、この原稿載置面に対して原稿を位置決め可能な位置決め部材とを備えた原稿載置台を有し、前記原稿載置面に載置される原稿の画像を読み取る画像読取装置であって、
前記位置決め部材には、原稿が当接される当接面と、この当接面に当接される原稿が配置されるべき位置を示す目印とが備えられ、この目印の少なくとも一部は前記当接面に設けられていることを特徴とする画像読取装置。
【請求項２】
前記目印は、前記当接面に設けられた第１の目印と、前記位置決め部材における前記当接面に隣接する面に設けられた第２の目印とを備えていることを特徴とする請求項１に記載の画像読取装置。
【請求項３】
前記第１の目印と第２の目印とは連続して設けられていることを特徴とする請求項２に記載の画像読取装置。
【請求項４】
前記当接面には、前記当接面と前記第１の目印との境界線が現出していることを特徴とする請求項２または３のいずれかに記載の画像読取装置。
【請求項５】
前記第１の目印は、前記当接面に形成された凹形状部であることを特徴とする請求項１から３のいずれかに記載の画像読取装置。
【請求項６】
前記第１の目印は、前記当接面に形成された凹形状部であって、第２の目印は、前記位置決め部材における前記当接面に隣接する面に形成された凹形状部であることを特徴とする請求項２および請求項３に記載の画像読取装置。
【請求項７】
前記凹形状部の少なくとも一部に、前記目印の周囲の素材と識別可能な素材が埋設されて形成されることを特徴とする請求項５または６に記載の画像記録装置。
【請求項８】
前記識別可能な素材は、透明な素材であることを特徴とする請求項７に記載の画像記録装置。
【発明の詳細な説明】
【技術分野】
【０００１】
本発明は、原稿載置台に載置された原稿を読み取る、所謂フラットベッドタイプの原稿読取装置に関するものである。
【背景技術】
【０００２】
従来から、原稿載置台に固定されたガラス板上に、原稿をその記録面が下になるように載置して、前記ガラス板の下方に配置されたイメージスキャナ装置を走査することで、原稿を読み取る原稿読取装置が知られている（フラットベッドタイプ）。このような原稿読取装置では、原稿のサイズを正しく認識してイメージスキャナ装置で読み取るために、ガラス板（イメージスキャナ装置）に対して適正な位置に原稿を置く必要がある。従って、前記ガラス板の周囲には、原稿の位置を案内するための位置決め部材が配置されている（特許文献１等参照）。
【０００３】
この位置決め部材には、一般的に、原稿をガラス板に載置するときに原稿の側辺（記録面に直交する側面）を当接させる当接面が設けられているとともに、位置決め部材おける当接面と隣接する面、すなわち位置決め部材の表面（上面）には、原稿の前記側辺と交差する側辺の配置位置を示す目印が施されている。
【特許文献１】特開２００１−１４２１５７号公報（図１及び図２参照）
【発明の開示】
【発明が解決しようとする課題】
【０００４】
しかしながら、図１０（ａ）に示すように、原稿Ｇを突き当てるための当接面１３１を形成する必要上、位置決め部材１３０は、ガラス板における原稿載置面１３７よりも上方に突出するように設けなければならない。そのため、位置決め部材１３０の表面（上面）１３２に設けた目印１４０は、当接面１３１を形成した分だけ、原稿載置面１３７よりも上方に高く位置することになる。
【０００５】
原稿を手で動かしながらガラス板に載置するときに、使用者がガラス板を真上から見て行うことは稀であり、装置本体の手前側から斜めに見て操作することが多い。従って、図１０（ｂ）に示すように、本来は、目印１４０の位置合わせ点１３８に合わせて、一点鎖線で示す位置に、原稿Ｇの側辺Ｇ１が配置されるべきであるのに、目印の高さと原稿の高さの相違のために、側辺Ｇ１は、実線で示す位置にずれて配置され、位置合わせの精度が低下し易い。
【０００６】
本発明は、上記課題を解消するものであって、原稿載置面の適正な位置に高い精度で原稿を載置することのできる位置決め部材を備えた画像読取装置の実現を目的とするものである。
【課題を解決するための手段】
【０００７】
前記目的を達成するために、請求項１に記載の発明における画像読取装置は、原稿を載置可能な原稿載置面と、この原稿載置面に対して原稿を位置決め可能な位置決め部材とを備えた原稿載置台を有し、前記原稿載置面に載置される原稿の画像を読み取る画像読取装置であって、前記位置決め部材には、原稿が当接される当接面と、この当接面に当接される原稿が配置されるべき位置を示す目印とが備えられ、この目印の少なくとも一部は前記当接面に設けられていることを特徴とするものである。
【０００８】
また、請求項２に記載の発明は、請求項１に記載の画像読取装置において、前記目印は、前記当接面に設けられた第１の目印と、前記位置決め部材における前記当接面に隣接する面に設けられた第２の目印とを備えていることを特徴とするものである。
【０００９】
また、請求項３に記載の発明は、請求項２に記載の画像読取装置において、前記第１の目印と第２の目印とは連続して設けられていることを特徴とするものである。連続して設けられているとは、第１の目印と第２の目印とが一体に設けられている状態および第１の目印と第２の目印との対応関係が明らかである状態をいう。対応関係が明らかである状態とは、第１の目印と第２の目印とが同一の原稿が配置されるべき位置を指し示していることが一目瞭然である状態をいう。
【００１０】
また、請求項４に記載の発明は、請求項２または３のいずれかに記載の画像読取装置において、前記当接面には、前記第１の目印の境界線が現出していることを特徴とするものである。
【００１１】
また、請求項５に記載の発明は、請求項１から３のいずれかに記載の画像読取装置において、前記第１の目印は、前記当接面に形成された凹形状部であることを特徴とするものである。
【００１２】
また、請求項６に記載の発明は、請求項３に記載の画像読取装置において、前記第１の目印は、前記当接面に形成された凹形状部であって、第２の目印は、前記位置決め部材における前記当接面に隣接する面に形成された凹形状部であることを特徴とするものである。
【００１３】
また、請求項７に記載の発明は、請求項５または６に記載の画像記録装置において、前記凹形状部の少なくとも一部に、前記目印の周囲の素材と識別可能な素材が埋設されて形成されることを特徴とするものである。
【００１４】
また、請求項８に記載の発明は、請求項７に記載の画像記録装置において、前記識別可能な素材は、透明な素材であることを特徴とするものである。
【発明の効果】
【００１５】
請求項１に記載の発明によれば、原稿載置面に載置された原稿を当接させるための当接面を設けているから、位置決め部材は、当接面の分だけ原稿載置面よりも高く突出した形状にする必要がある。しかしながら、位置決め部材の当接面に、目印の少なくとも一部が設けられているので、原稿と目印の高さの差異を抑制でき、原稿と目印とを極めて近い位置で合わせることができる。従って、使用者が、原稿を載置するときに、目印と原稿とを真上から見ずに斜めから見ても、位置合わせの精度が低下することを防止できる。
【００１６】
請求項２に記載の発明によれば、当接面に設けた第１の目印のほかに、位置決め部材における当接面と隣接する面に第２の目印を備えているから、第２の目印を使用者が視認し易い位置に配置すると、目印を見つけ易くなるという効果を奏する。
【００１７】
請求項３に記載の発明によれば、第１の目印と第２の目印とは連続して設けられているから、これら目印の視認し易さが向上される。また、第１の目印と第２の目印との対応関係が明確であるため、複数の目印が隣接して設けられている場合であっても使用者が第１の目印と第２の目印との対応関係を見誤ることがない。すなわち、適切な目印を選びやすいという効果を奏する。
【００１８】
請求項４に記載の発明によれば、当接面に第１の目印の境界線が現われているから、この境界線に対して原稿を合わせることによって、使用者は精度良く原稿の位置合わせをすることができる。
【００１９】
請求項５に記載の発明によれば、第１の目印は、凹形状に形成されているから、その開口の輪郭を境界線として利用し、原稿との位置合わせに用いることができる。また、第１の目印は、凹形状に形成されているため、目印が印刷されている場合に比して耐久性が高いという効果を奏する。すなわち、原稿が目印に幾度となく当接されるうちに表示が薄くなってしまうことが防止されるので、目印の状態が使用者にとって見やすく保たれる。
【００２０】
請求項６に記載の発明によれば、第１の目印は、前記当接面に形成された凹形状部であって、第２の目印は、前記位置決め部材における前記当接面に隣接する面に形成された凹形状部であるから、請求項５と同様に、目印が印刷されている場合に比して耐久性が高いという効果を奏する。また、第１の目印と第２の目印とが連続して設けられている場合には、これらの形状を連続して加工し易いという効果を奏する。
【００２１】
請求項７に記載の発明によれば、凹形状部の少なくとも一部に、目印の周囲の素材と識別可能な素材が埋設されているから、この識別可能な素材と周囲の素材との境界線を、位置合わせに用いることができる。また、凹形状部の少なくとも一部に、目印の周囲の素材と識別可能な素材が埋設されているため、使用者が目印を見やすいという効果を奏する。さらに、凹形状を埋設することで、凹形状にホコリ等が溜まることを防止できる。
【００２２】
請求項８に記載の発明によれば、請求項７に記載の発明の効果に加えて、識別可能な素材は、透明な素材であるから、目印に原稿を合わせるときに、目印を介して原稿が見易くなるという効果を奏する。すなわち、目印を介して原稿を見ることが出来るため、使用者は原稿を位置決め部材に対して精度良く位置合わせすることが可能である。
【発明を実施するための最良の形態】
【００２３】
以下に、本発明を具体化した最良の実施形態について説明する。本実施形態は、画像読取装置を適用した一実施形態として、コピー機能、スキャナ機能、ファクシミリ機能、プリンタ機能を備えた多機能装置１（ＭＦＤ：Multi Function Device）を示している。
【００２４】
多機能装置１は、その合成樹脂製の本体ケース（ハウジング）２の上部に、コピー機能やファクシミリ機能における原稿読み取りなどのための画像読取装置（スキャナ部）１２が配置されている（図２参照）。画像読取装置１２は、画像読取部ケース１２ａ内に設けられており、原稿を読み取って画像データ（写真データや文書データ等も含む）を作成する（スキャナ機能）。
【００２５】
多機能装置１はそのファクシミリ機能を用いて、画像読取装置１２で作成した画像データを、電話通信網を介して送信することができる。また、多機能装置１はそのコピー機能を用いて、画像読取装置１２で作成した画像データを、被記録媒体の一例である用紙に、画像（写真、写真）として記録することができる。さらに、多機能装置１は、画像読取装置１２で作成した画像データを、ケーブル等を介して接続したパーソナルコンピュータ等に送信することもできる。
【００２６】
本実施形態では、図１に示すように、本体ケース２の下部に記録部７が備えられている。そして、装置本体である本体ケース２の底部の収納空間に対して、本体ケース２の前側に開口された挿入口２ａから挿抜可能（実質上水平方向に出し入れ可能）な給紙カセット装置３が配置されている。以下、合成樹脂製の本体ケース２の挿入口２ａがある側を前といい、これを基準に装置の後（奥）、左右、という。
【００２７】
本体ケース２の上側には、画像読取装置１２の前方に、各種操作を行うボタン及びスイッチや液晶などのパネル表示部を備える操作部１４が設けられており、画像読取装置１２と操作部１４との平面視投影面積内に、記録部７、排紙トレイ部１０などが配置される。
【００２８】
本体ケース２の右前側に、インクカートリッジ１９（ここでは、イエロー、マゼンタ、シアン、ブラックの４色）の収納部１５が内蔵されている（図３参照）。各インクカートリッジ１９のインクは、可撓性を有するインク供給管（チューブ）２０を介して、それぞれ独立して記録ヘッド４に供給される。
【００２９】
画像読取装置１２には、原稿を載置する載置用ガラス板１６を有する原稿載置台１８が設けられている。載置用ガラス板１６の下方に、原稿読み取り用のイメージスキャナ装置（ＣＩＳ：Contact Image Sensor）１７が、図２の紙面と直交する方向（キャリッジ５の主走査方向、Ｙ軸方向）に往復移動可能に設けられている。載置用ガラス板１６上に記録面を下向きにして静置された原稿の画像を、イメージスキャナ装置１７がＹ軸方向に移動しながら読み取り、画像データが作成される。載置用ガラス板１６を覆う原稿カバー体１３は、その後端部（図２で右側）を中心として回動し、画像読取部ケース１２ａに対して開閉自在に取り付けられている。
【００３０】
記録部７には、キャリッジ５に搭載された記録ヘッド４と、記録ヘッド４の下面に対向してプラテン２６が設けられている（図２及び図３参照）。キャリッジ５は、当該キャリッジ５の主走査方向に（Ｙ軸方向）に延びる横長の板状（プレート状）の第１ガイド部材２２、第２ガイド部材２３に跨って往復移動可能に構成されている。
【００３１】
プラテン２６の下方には、アーム状の給紙手段６が設けられ、その先端に取り付けられた給紙ローラ６ａが、給紙カセット装置３に堆積された用紙の最上面に当接する。給紙カセット装置３の奥側（後端側、図２において右側）には、用紙分離用の傾斜分離板８が配置されている。給紙カセット装置３の用紙は、給紙ローラ６ａと傾斜分離板８との協働作用により１枚ずつ分離され、上横向きのＵターンパス（給紙搬送路）９に送られる。
【００３２】
Ｕターンパス９を通った用紙は、プラテン２６の搬送上流側に配置されたレジストローラ対２７により、記録ヘッド４の下面のノズル面とプラテン２６との隙間に搬送されて記録され、下流側に配置された排紙ローラ対２８によって、排紙トレイ部１０へ搬送される。
【００３３】
原稿載置台１８には、図４（ａ）に示すように、平面視長方形状の載置用ガラス板１６の四辺を囲む枠体３５も備えられている。枠体３５は、外周及び内周がいずれも平面視長方形状となるように、複数の部材を組み合わせて構成されており、図５（ｃ）に示すように、枠体３５の厚み方向の中途部に設けられた切り込み部３６に、載置用ガラス板１６の四辺が挟み込まれている。
【００３４】
枠体３５及び載置用ガラス板１６は、いずれもその短辺が、Ｘ軸と平行になるように配置されている。枠体３５の少なくとも一方の短辺側の枠が、原稿を載置すべき位置を案内するための位置決め部材３０を兼ねており、枠体３５の内側に露出する載置用ガラス板１６の領域が、原稿載置面３７となる。
【００３５】
位置決め部材３０には、前述したように、その厚み方向の中途部に設けた切り込み部３６に、載置用ガラス板１６が挟み込まれており、載置用ガラス板１６の上方に重なる部分が、薄い板状部３４になっている。この板状部３４は、載置用ガラス板１６の原稿載置面３７とほぼ平行で且つ外部から視認できる表面（上面）３２と、載置用ガラス板１６に対向して重なる裏面３３と、表面３２及び裏面３３に隣接してこれらに交差し且つ原稿Ｇが当接する当接面３１とを有している。位置決め部材３０及び当接面３１は、Ｘ軸方向に平行に長く延びて設けられている。なお、ここでは、当接面３１は、原稿載置面３７から上方に向かうに従って外側に広がる傾斜面に形成されている。もちろん、当接面３１は、原稿載置面３７に直交するように形成してもよいが、傾斜面の方が原稿載置面３７の上方から当接面３１を見易いという利点がある。
【００３６】
位置決め部材３０には、当接面３１に当接される原稿Ｇが配置されるべき位置を示す目印４０が設けられており、原稿Ｇは、当接面３１に当接することで、Ｙ軸方向の位置決めがなされ、目印４０に合わせることで、Ｘ軸方向の位置決めがなされる。
【００３７】
ここでは、図４（ａ）に示すように、原稿ＧのＸ軸方向の位置決めとしては、原稿ＧのＸ軸方向の幅の中心線を、原稿載置面３７のＸ軸方向の幅の中心線の近傍（センター用の目印５０として右向きの三角マークを表面３２に記している）に合わせるようにしている。従って、原稿ＧのＸ軸方向に交差する方向の両方の側辺Ｇ１、Ｇ２の位置を示すために、位置決め部材３０には、その長手方向に離隔した２箇所に目印４０が配置されている。例えば、Ａ４サイズの原稿Ｇに対しては、２つの目印４０を、Ａ４用紙の短辺の長さ分だけ離隔して、位置決め部材３０に配置している。
【００３８】
なお、図示していないが、表面３２の目印４０の近傍に、合わせるべき原稿のサイズ、例えば「Ａ４」等を表記してもよい。もちろん、１つの位置決め部材３０に、サイズの異なる複数の原稿（Ａ４用、Ｂ５用、Ｂ４用、はがき用、レターサイズ用等）のために、複数（複数組）の目印４０を施してもよい。
【００３９】
また、原稿Ｇを、枠体３１の１つの隅に対してコーナ合わせする仕様の場合には、前記隅を挟んで直交する２つの枠が位置決め部材３０、３０となって、原稿を当接させる当接面がＬ字状に構成される。さらに、枠体３５の一方の長辺側の枠のみを位置決め部材３０として用いてもよい。
【００４０】
この実施形態では、目印４０は、Ａ４原稿が配置されるべき位置を示しており、位置決め部材３０の２箇所に設けられている。各箇所の目印４０は、いずれもその外方（センター用の目印５０から遠い）側に同じ形状の目印４０′が設けられている。この目印４０′は、レターサイズの原稿が配置されるべき位置を示している。
【００４１】
目印４０は、少なくとも当接面３１に形成されており、目印４０の境界線（輪郭）が必ず当接面３１に現われるようにしている。そして、原稿Ｇを位置合わせするときには、当接面３１に現われている各目印４０の境界のうち、最もセンター用の目印５０に近く且つ原稿載置面３７に近い位置を位置合わせ点３８として、原稿Ｇの角を合わせるようにしている（図４（ａ）及び図４（ｂ）参照）。
【００４２】
第１実施形態の目印４０ａは、図４及び図５に示すように、当接面３１と表面３２とに跨って連続するように設けられており、当接面３１に設けられた目印を第１の目印４１、表面３２に設けられた目印を第２の目印４２とする。
【００４３】
目印４０ａは、詳細には、表面３２に、当接面３１を基端としてこの当接面３１から離れる方向に、幅Ｗ、長さ寸法Ｌで延びる長方形状（直線状）を有し、その形状のまま板状部３４の板厚Ｔを貫通して形成されている。従って、第１の目印４１は、当接面３１に、高さ（深さ）Ｔ、幅Ｗを有する矩形状に開口して凹設され、第２の目印４２は、表面３２に、長さＬ、幅Ｗを有する矩形状に開口して凹設されている。
【００４４】
すなわち、目印４０ａは、板状部３４の板厚を貫通して形成され、且つ当接面３１にも開口する切欠状であるから、目印４０ａの内側に原稿載置用ガラス１６（原稿載置面３７を延長した平面）が露出し、前記位置合わせ点３８が、原稿載置面３７と実質上同じ高さに見えることになる。
【００４５】
上記構成では、原稿Ｇを原稿載置面３７に載置するときには、まず、当接面３１に原稿Ｇの一辺を当接させながら、原稿Ｇの前記一辺に直交する両側辺Ｇ１、Ｇ２を、２箇所の目印４０ａにそれぞれ位置合わせする（図４（ａ）参照）。２箇所のうち位置決め部材３０の手前側（図４（ａ）の下側）に位置する目印４０ａでは、図４（ｂ）及び図５（ａ）に示すように、原稿Ｇの側辺Ｇ１を、目印４０ａの位置合わせ点３８に合わせることになる。
【００４６】
このように、本願発明では、目印４０の少なくとも一部として、位置決め部材３０の当接面３１に第１の目印４１を形成しているから、原稿載置面３７に載置した原稿Ｇと近い高さに位置合わせ点３８を設けることができる。従って、原稿Ｇを位置合わせ点３８に合わせるときには、使用者が目印４０ａを真上から見ずに多機能装置１の手前側から斜めに見ても、これらを略同じ高さに見ながら合わせることができ、高い精度で位置合わせすることができる。また、第１の目印４１に加えて、第２の目印４２を表面３２に設けることで、使用者が目印４０の位置を認識し易くなるという効果を奏する。
【００４７】
さらに、本実施形態では、目印４０は、Ａ４原稿が配置されるべき位置を示しており、位置決め部材３０の２箇所に設けられ、いずれもその外方（センター用の目印５０から遠い）側に、レターサイズの原稿が配置されるべき位置を示す目印４０′が設けられている。目印４０と目印４０′とは近接して設けられているが、前記第１の目印と第２の目印とは連続して設けられているため、使用者が目印４０と目印４０′とを取り違えることが防止される。詳細には、目印４０において、第１の目印４１と第２の目印４２とは一体に設けられているので、第１の目印４１と第２の目印４２との対応関係が明らかであり、また同様に、目印４０′においても、第１の目印４１′と第２の目印４２′との対応関係は一目瞭然である。よって、使用者が目印４０と目印４０′とを取り違えることが確実に防止される。
【００４８】
目印４０は、図４及び図５に示した目印４０ａの形状だけでなく、様々な応用、変形が可能である。変形例を、図６〜図８を用いて説明する。
【００４９】
目印４０ｂは、図６（ａ）及び図６（ｂ）に示すように、表面３２に形成された凹形状の底面が、当接面３１に近い側で板状部３４の板厚Ｔを貫通し、当接面３１に遠い側でＴよりも浅い深さ寸法Ｔ１（Ｔ１＜Ｔ）を有するように、多段形状に形成されている。従って、第１の目印４１は、当接面３１に、高さ（深さ）Ｔ、幅Ｗを有する矩形状に開口して凹設され、第２の目印４２は、表面３２に、長さＬ、幅Ｗを有する矩形状に開口して凹設されている。
【００５０】
目印４０ｃは、図６（ｃ）及び図６（ｄ）に示すように、表面３２に形成された凹形状の底面が、当接面３１に遠い側から近い側に徐々に深くなり、当接面３１の位置では深さＴとなる傾斜面に形成されている。従って、第１の目印４１は、当接面３１に、高さ（深さ）Ｔ、幅Ｗを有する矩形状に開口して凹設され、第２の目印４２は、表面３２に、長さＬ、幅Ｗを有する矩形状に開口して凹設されている。目印４０ｂおよび目印４０ｃには、表面３２に形成された凹形状の底面に板厚がＴよりも薄い部分が設けられているため、使用者から目印４０ｂおよび目印４０ｃを容易に視認できるとともに、表面３２に形成された凹形状の強度が強いという効果を奏する。
【００５１】
図７に示す７種類の目印４０ｄ〜４０ｊは、便宜上、１つの位置決め部材３０に配置した状態で図示している。
【００５２】
例えば、目印４０ｄは、第２の目印４２が、当接面３１から連続して長い長方形の開口形状に形成されているが、その底面は第２の目印４２の幅方向の中心線に向かって徐々に深くなる傾斜面に形成されている。従って、第１の目印４１の形状は、下向き三角形の開口形状となって当接面３１に凹設されている。第１の目印４１の最も深い位置である三角形の頂点が、原稿Ｇの側辺を合わせる位置合わせ点３８になるが、この位置合わせ点３８は原稿載置面３７よりもΔＴ２だけ上方に位置している。
【００５３】
目印４０ｅは、第２の目印４２が、当接面３１から連続して長い長方形の開口形状に形成されているが、その底面は第２の目印４２の幅方向の中心線に向かって、階段状に深くなる多段形状に形成されている。従って、第１の目印４１の形状は、外側寄りの部分よりも中央部が深くなる開口形状となって当接面３１に凹設されている。また、目印４０ｅは、当接面３１の近傍では、板状部３４の板厚を貫通して形成されているが、それ以外の部分では、表面３２から板状部３４の板厚の途中まで凹設されている。
【００５４】
目印４０ｆは、第２の目印４２が、当接面３１から連続して長い長方形状を有し、且つは表面３２にΔＴ３の高さで凸設されている。また、第１の目印４１は、先端が原稿載置面３７に到達する下向きの三角形状に形成され、且つ当接面３１にΔＬ１の高さで凸設されている。
【００５５】
目印４０ｇは、第２の目印４２が、当接面３１からΔＬ２だけ離隔した位置を基端としてここから離れる方向に長い長方形状を呈し、且つ表面３２にΔＴ３の高さで凸設されている。第１の目印４１は、下向き三角形の開口形状に凹設され、その先端である位置合わせ点３８は、原稿載置面３７よりもΔＴ２だけ上方に位置している。
【００５６】
目印４０ｈは、第２の目印４２が、当接面３１からΔＬ２だけ離隔した位置を基端としてここから離れる方向に長い長方形状を呈し、且つ表面３２にＴよりも小さい深さで凹設されている。第１の目印４１は、原稿載置面３７に到達する長方形状を呈し、且つ当接面３１にΔＬ１の高さで凸設されている。
【００５７】
目印４０ｉは、第１の目印４１と第２の目印４２とが連続する直線として、位置決め部材３０に描かれており、第１の目印４１は、原稿載置面３７の高さまで線引きされている。もちろん第１の目印４１と第２の目印４２は、位置決め部材３０のベースとなる素材と識別できる色で記されている。
【００５８】
目印４０ｊは、目印４０ａと同様に、第１の目印４１と第２の目印４２とがいずれも長方形の開口形状を呈して凹設された空間に、位置決め部材３０のベースとなる素材（目印４０ｊの周囲の素材）と識別できる素材４３が埋設されたものである。識別できる素材４３として、ベースとなる素材と異なる色に着色された素材を埋設してもよいが、透明な素材を埋設すると、目印４０ａと同様に、目印４０ｊを通して原稿載置面３７を見ることができるうえに、凹設された空間にホコリ等が溜まることも防止できる。
【００５９】
また、第２の目印４２の形状も、長方形状や直線状だけでなく、図８（ａ）に示すように、当接面３１から徐々に細幅となる形状に形成したり、逆に、図８（ｂ）に示すように、当接面から徐々に広幅となる形状に形成したりしてもよい。以上に例示した形態は一部の例であり、目印４０は、上述の形態をさらに組み合わせるなどして様々に変形することが可能である。
【００６０】
なお、本発明では、第１の目印４１の凹形状は、開口の境界線（輪郭）が当接面３１に現われる凹形状であればよく、板状部３４の板厚を貫通する形状を含んでいなくてもよい。また、第１の目印４１は、当接面３１にその境界線が現われればよいため、前述したように、当接面３１に凹設しても凸設してもよいが、凸設する場合には、原稿Ｇの位置合わせに影響しないように、その突出寸法や位置合わせ点３８の高さ位置を配慮する必要がある。しかしながら、位置決め部材３０を製造するための金型としては、第１の目印４１を当接面３１に凸設する場合の方が作り易いという利点がある。
【００６１】
次に、第２実施形態の目印について、図９を用いて説明する。第１実施形態と同様の構成には同一符号を付して詳細な説明は省略する。この実施形態は、図７の目印４０ｇをさらに応用した形態でもある。
【００６２】
位置決め部材３０には、そのベースとなる素材と色が異なりさらに互いに色の異なる、第１の部材５１、第２の部材５２、及び第３の部材５３が組み合わされている。なお、図９（ａ）では、識別のために、第１、第２、第３の部材５１、５２、５３にハッチングを施している。第１の部材５１は、Ｘ軸方向に沿って長い長方形状で板状部３４と同じ板厚Ｔに形成されており、位置決め部材３０のＸ軸方向に平行な幅の中央部に配置されている。この第１の部材５１の長辺側の一方の側面は、原稿を載置する側に露出している。
【００６３】
第２の部材５２は、第１の部材５１における原稿を載置する側に露出する側面を除く３面を囲む平面視コの字状を呈し、板状部３４と同じ板厚Ｔに形成されている。第２の部材５２における原稿を載置する側に露出している側面は、第１の部材５１における原稿を載置する側の側面をＸ軸方向の両外側から挟んで、且つこれらは同一平面上に配置されている。
【００６４】
第３の部材５３は、第２の部材５２における原稿を載置する側に露出する側面を除く３面を囲む平面視コの字状を呈し、板状部３４と同じ板厚Ｔに形成されている。第３の部材５３における原稿を載置する側に露出している側面は、第２の部材５２における原稿を載置する側の側面をＸ軸方向の両外側から挟んで、且つこれらは同一平面上に配置されている。
【００６５】
換言すれば、第１の部材５１、第２の部材５２、及び第３の部材５３の、原稿を載置する側の側面は、位置決め部材３０のベースとなる部材とともに、当接面３１を構成している。
【００６６】
第１の部材５１のＸ軸方向に沿う長手方向の寸法は、例えば、Ｂ５サイズの用紙の短辺と同じ寸法に設定され、第２の部材５２のＸ軸方向に沿う長手方向の寸法は、Ａ４サイズの用紙の短辺と同じ寸法に設定され、第３の部材５３のＸ軸方向に沿う長手方向の寸法は、Ｂ４サイズの用紙の短辺と同じ寸法に設定される。
【００６７】
従って、第１の部材５１と第２の部材５２の境界のうち、Ｙ軸方向に平行で表面３２と当接面３１とに連続して延びる境界線５１ａ、５１ｂは、Ｂ５サイズの用紙の短辺のＸ軸方向の位置を位置決めするための目印４０となる。また、第２の部材５２と第３の部材５３の境界線のうち、Ｙ軸方向に平行で表面３２と当接面３１とに連続して延びる境界線５２ａ、５２ｂは、Ａ４サイズの用紙の短辺のＸ軸方向の位置を位置決めするための目印４０となる。そして、第３の部材５２と位置決め部材３０のベースとなる部材の境界のうち、Ｙ軸方向に平行で表面３２と当接面３１とに連続して延びる境界線５３ａ、５３ｂは、Ｂ４サイズの用紙の短辺のＸ軸方向の位置を位置決めするための目印４０となる。
【００６８】
上述されたように、位置決め部材３０には、そのベースとなる素材と色が異なりさらに互いに色の異なる、第１の部材５１、第２の部材５２、及び第３の部材５３が組み合わされている。第１の部材５１、第２の部材５２、及び第３の部材５３の色の違いおよび配置から、使用者はそれぞれの部材に対応する用紙の大小関係を感覚的に認識することが可能である。よって、使用者がこの位置決め部材３０を用いて作業するときの作業性が良いという効果を奏する。
【００６９】
なお、各境界線５１ａ、５１ｂ、５２ａ、５２ｂ、５３ａ、５３ｂは、単に異なる色の素材を隣接させてできる境界線として現わすだけでなく、前記境界線に沿って黒色等の他の色で直線を描いてもよい。
【００７０】
このように第２実施形態の目印４０も、その一部を当接面３１に設けているから、原稿を原稿載置台３７に載置したときに、目印４０と原稿との高さ位置の違いを抑制でき、位置合わせの精度を向上させることができる。なお、この第２実施形態では、第１から第３の部材を位置決め部材３０に組み合わせて、サイズの異なる３種類の原稿の位置合わせをできるように構成したが、位置合わせ可能な原稿のサイズは３つに限定するものではない。
【００７１】
本発明は、上述したような、多機能装置１がフラットベッドタイプの画像読取装置１２を備えた形態だけでなく、フラットベッドタイプの画像読取装置１２にＡＤＦ（自動給紙装置）を付加した形態に適用してもよい。
【００７２】
また、本実施形態では、載置用ガラス板１６の枠体３４に対する取り付け構造は、切り込み部３６に挟み込む形態であったため、板状部３４を貫通するように目印４０を形成すると、目印４０の内側に載置用ガラス板１６を露出させることができた。しかしながら、載置用ガラス板１６の取り付け構造は、この形態に限定するものではない。当接面３１に目印４０の少なくとも一部が形成されれば、位置合わせの精度は向上されるため、必ずしも目印４０の内側に、載置用ガラス板１６を露出させなくてもよい。
【図面の簡単な説明】
【００７３】
【図１】本発明を適用した多機能装置の斜視図である。
【図２】多機能装置の側断面図である。
【図３】記録部周辺を模式的に示す平面図である。
【図４】（ａ）は第１実施形態の原稿載置台の平面図、（ｂ）は第１実施形態の目印の拡大斜視図である。
【図５】（ａ）は目印の平面図、（ｂ）は（ａ）のＶｂ−Ｖｂ線矢視断面図、（ｃ）は（ａ）のＶｃ−Ｖｃ線矢視断面図である。
【図６】（ａ）は目印の変形例の斜視図、（ｂ）は（ａ）の目印の縦断面図、（ｃ）は目印の他の変形例の斜視図、（ｄ）は（ｃ）の目印の縦断面図である。
【図７】（ａ）は目印のさらに他の変形例における第２の目印を示す平面図、（ｂ）は（ａ）の目印における第１の目印を示す側面図、（ｃ）は（ａ）の目印の斜視図である。
【図８】（ａ）及び（ｂ）は目印の第２の目印の変形例を示す平面図である。
【図９】（ａ）は第２実施形態の原稿載置台の平面図、（ｂ）は第２実施形態の目印の拡大斜視図である。
【図１０】（ａ）は従来の原稿載置台の平面図、（ｂ）は従来の目印の拡大平面図である。
【符号の説明】
【００７４】
１        多機能装置
１２      画像読取装置
１３      原稿カバー体
１６      載置用ガラス板
１７      イメージスキャナ装置
１８      原稿載置台
３０      位置決め部材
３１      当接面
３２      表面
３４      板状部
３５      枠体
３７      原稿載置面
３８      位置合わせ点
４０      目印
４０′    目印
４１      第１の目印
４２      第２の目印
４１′    第１の目印
４２′    第２の目印
Ｇ        原稿
【図１】
2008122732.tif 000003
【図２】
2008122732.tif 000004
【図３】
2008122732.tif 000005
【図４】
2008122732.tif 000006
【図５】
2008122732.tif 000007
【図６】
2008122732.tif 000008
【図７】
2008122732.tif 000009
【図８】
2008122732.tif 000010
【図９】
2008122732.tif 000011
【図１０】
2008122732.tif 000012